【手続補正書】
【提出日】平成16年10月1日(2004.10.1)
【手続補正１】
【補正対象書類名】明細書
【補正対象項目名】請求項１
【補正方法】変更
【補正の内容】
【請求項１】
市場から回収された製品に対して、分解及び検査を施し部品単位での再生をおこなう再生ラインに設けられ、前記検査工程で検査対象となる部品を特定する検査対象部品特定装置において、
前記製品を製品オブジェクトと、当該製品オブジェクトを構成する複数のユニットオブジェクトと、当該ユニットオブジェクトを構成する複数の部品オブジェクトを単位として管理するオブジェクト管理手段と、
前記回収された製品の製品ＩＤを読み取る製品ＩＤ読み取り手段と、
前記製品ＩＤから当該製品に関する市場実績データを取得する市場実績データ取得手段と、
前記取得した市場実績データを入力情報として、前記オブジェクト管理手段が管理する製品オブジェクトと、ユニットオブジェクトと、部品オブジェクトを特定し、製品を構成する各部品における劣化特性値と劣化進行度数などの劣化情報を算出する部品劣化予測手段と、
前記部品オブジェクトの中から前記算出された劣化情報に基づき検査対象とする部品を選択する検査対象部品選択手段と、
を備えたことを特徴とする検査対象部品特定装置。
【手続補正２】
【補正対象書類名】明細書
【補正対象項目名】請求項９
【補正方法】変更
【補正の内容】
【請求項９】
市場から回収された製品に対して、分解及び検査を施し部品単位での再生をおこなう再生ラインに設けられ、前記検査工程で検査対象となる部品を特定する検査対象部品特定方法において、
前記製品を製品オブジェクトと、当該製品オブジェクトを構成する複数のユニットオブジェクトと、当該ユニットオブジェクトを構成する複数の部品オブジェクトを単位として管理するオブジェクト管理工程と、
前記回収された製品の製品ＩＤを読み取る製品ＩＤ読み取り工程と、
前記製品ＩＤから当該製品に関する市場実績データを取得する市場実績データ取得工程と、
前記市場実績データを前記製品オブジェクトに入力情報として与え、入力された市場実績データをストレス情報として、各ユニットオブジェクトに対する入力情報として与える製品オブジェクト特定工程と、
前記ユニットオブジェクトに入力されたストレス情報を各部品オブジェクトに入力情報として与えるユニットオブジェクト特定工程と、
前記部品オブジェクトに入力されたストレス情報と、当該部品オブジェクトが該当する部品の劣化の度合いを求めるために管理する情報とから、当該部品における劣化進行度数を算出する劣化進行度数算出工程と、
前記算出された劣化進行度数に基づき、前記複数の部品オブジェクトの中から検査対象とする部品を選択する検査対象部品選択工程と、
を備えたことを特徴とする検査対象部品特定方法。
【手続補正３】
【補正対象書類名】明細書
【補正対象項目名】０００６
【補正方法】変更
【補正の内容】
【０００６】
【課題を解決するための手段】
上述した課題を解決し、目的を達成するため、請求項１に記載の発明にかかる検査対象部品特定装置は、市場から回収された製品に対して、分解及び検査を施し部品単位での再生をおこなう再生ラインに設けられ、前記検査工程で検査対象となる部品を特定する検査対象部品特定装置において、前記製品を製品オブジェクトと、当該製品オブジェクトを構成する複数のユニットオブジェクトと、当該ユニットオブジェクトを構成する複数の部品オブジェクトを単位として管理するオブジェクト管理手段と、前記回収された製品の製品ＩＤを読み取る製品ＩＤ読み取り手段と、前記製品ＩＤから当該製品に関する市場実績データを取得する市場実績データ取得手段と、前記取得した市場実績データを入力情報として、前記オブジェクト管理手段が管理する製品オブジェクトと、ユニットオブジェクトと、部品オブジェクトを特定し、製品を構成する各部品における劣化特性値と劣化進行度数などの劣化情報を算出する部品劣化予測手段と、前記部品オブジェクトの中から前記算出された劣化情報に基づき検査対象とする部品を選択する検査対象部品選択手段とを備えたことを特徴とする。
【手続補正４】
【補正対象書類名】明細書
【補正対象項目名】００２２
【補正方法】変更
【補正の内容】
【００２２】
また、請求項９に記載の発明にかかる検査対象部品特定方法は、市場から回収された製品に対して、分解及び検査を施し部品単位での再生をおこなう再生ラインに設けられ、前記検査工程で検査対象となる部品を特定する検査対象部品特定方法において、前記製品を製品オブジェクトと、当該製品オブジェクトを構成する複数のユニットオブジェクトと、当該ユニットオブジェクトを構成する複数の部品オブジェクトを単位として管理するオブジェクト管理工程と、前記回収された製品の製品ＩＤを読み取る製品ＩＤ読み取り工程と、前記製品ＩＤから当該製品に関する市場実績データを取得する市場実績データ取得工程と、前記市場実績データを前記製品オブジェクトに入力情報として与え、入力された市場実績データをストレス情報として、各ユニットオブジェクトに対する入力情報として与える製品オブジェクト特定工程と、前記ユニットオブジェクトに入力されたストレス情報を各部品オブジェクトに入力情報として与えるユニットオブジェクト特定工程と、前記部品オブジェクトに入力されたストレス情報と、当該部品オブジェクトが該当する部品の劣化の度合いを求めるために管理する情報とから、当該部品における劣化進行度数を算出する劣化進行度数算出工程と、前記算出された劣化進行度数に基づき、前記複数の部品オブジェクトの中から検査対象とする部品を選択する検査対象部品選択工程とを備えたことを特徴とする。
【手続補正５】
【補正対象書類名】明細書
【補正対象項目名】００５３
【補正方法】変更
【補正の内容】
【００５３】
【発明の効果】
以上説明したように、請求項１に記載の発明によれば、市場から回収された製品に対して、分解及び検査を施し部品単位での再生をおこなう再生ラインに設けられ、前記検査工程で検査対象となる部品を特定する検査対象部品特定装置において、前記製品を製品オブジェクトと、当該製品オブジェクトを構成する複数のユニットオブジェクトと、当該ユニットオブジェクトを構成する複数の部品オブジェクトを単位として管理するオブジェクト管理手段と、前記回収された製品の製品ＩＤを読み取る製品ＩＤ読み取り手段と、前記製品ＩＤから当該製品に関する市場実績データを取得する市場実績データ取得手段と、前記取得した市場実績データを入力情報として、前記オブジェクト管理手段が管理する製品オブジェクトと、ユニットオブジェクトと、部品オブジェクトを特定し、製品を構成する各部品における劣化特性値と劣化進行度数などの劣化情報を算出する部品劣化予測手段と、前記部品オブジェクトの中から前記算出された劣化情報に基づき検査対象とする部品を選択する検査対象部品選択手段とを備えたので、検査対象とする部品を容易かつ正確に特定することができるため、検査工程での工数を低減でき再生ラインの効率的な運用を図ることができるという効果を奏する。
【手続補正６】
【補正対象書類名】明細書
【補正対象項目名】００６１
【補正方法】変更
【補正の内容】
【００６１】
請求項９に記載の発明によれば、市場から回収された製品に対して、分解及び検査を施し部品単位での再生をおこなう再生ラインに設けられ、前記検査工程で検査対象となる部品を特定する検査対象部品特定方法において、前記製品を製品オブジェクトと、当該製品オブジェクトを構成する複数のユニットオブジェクトと、当該ユニットオブジェクトを構成する複数の部品オブジェクトを単位として管理するオブジェクト管理工程と、前記回収された製品の製品ＩＤを読み取る製品ＩＤ読み取り工程と、前記製品ＩＤから当該製品に関する市場実績データを取得する市場実績データ取得工程と、前記市場実績データを前記製品オブジェクトに入力情報として与え、入力された市場実績データをストレス情報として、各ユニットオブジェクトに対する入力情報として与える製品オブジェクト特定工程と、前記ユニットオブジェクトに入力されたストレス情報を各部品オブジェクトに入力情報として与えるユニットオブジェクト特定工程と、前記部品オブジェクトに入力されたストレス情報と、当該部品オブジェクトが該当する部品の劣化の度合いを求めるために管理する情報とから、当該部品における劣化進行度数を算出する劣化進行度数算出工程と、前記算出された劣化進行度数に基づき、前記複数の部品オブジェクトの中から検査対象とする部品を選択する検査対象部品選択工程とを備えたので、予測結果に基づき検査対象とする部品を特定することができるため、検査工程での工数を低減でき再生ラインの効率的な運用が図れるという効果を奏する。